(57)【特許請求の範囲】
【請求項１】
レンズ体の外周に、レンズ体の幾何学中心ａから互いに反対側に位置するように一組のタブが設けられ、レンズ体の幾何学中心ａから離れた位置にレンズ体の光学中心ｂを持ち、幾何学中心ａと光学中心ｂとを結んだ結線ｃが、一組のタブと幾何学中心ａとを通る中心線ｄに対して２０度±１０度の角度を有することを特徴とするアンカット眼鏡レンズ。
【請求項２】
偏光を有するアンカット眼鏡レンズにおいて、
レンズ体の幾何学中心ａから離れた位置にレンズ体の光学中心ｂを持ち、レンズ体の幾何学中心ａと、レンズ体の光学中心ｂからレンズ体の偏光軸に平行に引いた平行線ｅとの距離が、８．２１ｍｍ±５ｍｍであることを特徴とする請求項１に記載のアンカット眼鏡レンズ。
【請求項３】
前記レンズ体の光学中心ｂがレンズ体の幾何学中心ａから１９ｍｍ〜２９ｍｍ離れた位置にあることを特徴とする請求項１又は２に記載のアンカット眼鏡レンズ。
【請求項４】
アンカット眼鏡レンズを積み重ねた際に隣合うレンズ体同士が互いに接触しないように他方のレンズ体の外周に設けたタブを受けるタブが、レンズ体の外周に、互いに間隔をおいて少なくとも１組設けられていることを特徴とする請求項１〜３のいずれかに記載のアンカット眼鏡レンズ。
【請求項５】
１組のタブは、レンズ体の外周から突出した長さ及び幅がともに２ｍｍ以上であることを特徴とする請求項１〜４のいずれかに記載のアンカット眼鏡レンズ。
【請求項６】
少なくとも一組のタブの中心を結んだ線がレンズ体の幾何学中心ａを通る位置にあることを特徴とする請求項１〜５のいずれかに記載のアンカット眼鏡レンズ。
【請求項７】
請求項１〜６に記載のアンカット眼鏡レンズをカットした眼鏡レンズであって、眼鏡レンズの幾何学中心ａとレンズ体の幾何学中心ａとが同一位置にあると共に、眼鏡レンズの光学中心ｂとレンズ体の光学中心ｂとが同一位置にあり、眼鏡レンズの幾何学中心ａから離れた位置に眼鏡レンズの光学中心ｂを持ち、その眼鏡レンズを利用した眼鏡を使用者が装着すれば、眼鏡レンズの光学中心ｂが眼鏡レンズの幾何学中心ａよりも左右方向内側でかつ上側に偏位した位置にくるように構成されていることを特徴とする眼鏡レンズ。
【請求項８】
請求項１〜６に記載のアンカット眼鏡レンズをカットした眼鏡レンズであって、偏光を有する眼鏡レンズにおいて、
眼鏡レンズの幾何学中心ａとレンズ体の幾何学中心ａとが同一位置にあると共に、眼鏡レンズの光学中心ｂとレンズ体の光学中心ｂとが同一位置にあり、光学中心ｂが眼鏡レンズの左右方向内方側でかつ上側に偏位し、眼鏡レンズの幾何学中心ａから離れた位置に眼鏡レンズの光学中心ｂを持ち、眼鏡レンズの光学中心ｂと眼鏡レンズの幾何学中心ａとを結んだ結線ｃが、偏光軸に対して２０度±１０度の角度を有することを特徴とする眼鏡レンズ。
【請求項９】
光学中心ｂが眼鏡レンズの左右方向内方側でかつ上側に偏位し、アンカット眼鏡レンズをカットした眼鏡レンズであって、６ベース以上のレンズカーブを有することを特徴とする請求項１〜８のいずれかに記載の眼鏡レンズ。
【請求項１０】
光学中心ｂが眼鏡レンズの左右方向内方側でかつ上側に偏位し、アンカット眼鏡レンズをカットした眼鏡レンズであって、請求項１〜９のいずれかに記載の眼鏡レンズを利用した眼鏡。
【発明の詳細な説明】
【０００１】
【産業上の利用分野】
本発明は、眼鏡レンズ及びそれを使用した眼鏡に関する。
【０００２】
【従来の技術】
視野の向上や眼鏡枠と顔面の隙間を少なくし、風や光の入り込みを少なくするためには８ベースを代表とするハイカーブレンズを用いた眼鏡が有効である。
この種の従来の眼鏡レンズは、一般に、レンズの幾何学中心とレンズの光学中心とが一致するように形成されていた。
【０００３】
【発明が解決しようとする課題】
しかし、ハイカーブレンズを顔面に沿わせた眼鏡は、図５に示すように、眼鏡レンズが使用者の顔面に沿って左右方向外端から左右方向内端に向かうに従って前方に進むように傾斜するため、光学中心を瞳孔位置Ｅより鼻Ｎ側に設けないと平行度が大きくなり、ものが見にくくなる。又、ハイカーブレンズを顔面に沿わせようとすると、図４に示すように眼鏡レンズが１０度から１５度前傾するのが普通である。この場合、単に光学中心を瞳孔位置Ｅより鼻Ｎ側に設けただけでは上下方向の平行度が大きくなりすぎて、ものが見にくくなる。
【０００４】
本発明は上記問題点に鑑み、眼鏡レンズを顔面に沿わせるように装着した場合でも、レンズの光学性能である平行度を小さくして前方の物がよく見えるようにしたものである。
【０００５】
【課題を解決するための手段】
上記問題点を解決する本発明の技術手段は、レンズ体の外周に、レンズ体の幾何学中心ａから互いに反対側に位置するように一組のタブが設けられ、レンズ体の幾何学中心ａから離れた位置にレンズ体の光学中心ｂを持ち、幾何学中心ａと光学中心ｂとを結んだ結線ｃが、一組のタブと幾何学中心ａとを通る中心線ｄに対して２０度±１０度の角度を有する点にある。
従って、アンカット眼鏡レンズを眼鏡枠に合わせてカットするとき、一組のタブを、光学中心ｂを眼鏡の一定位置に位置合わせする治具に使うことができ、タブを利用することにより、カット時に正確に位置合わせできて、アンカット眼鏡レンズのカットを簡単かつ正確に行うことができる。また、このアンカット眼鏡レンズを利用した眼鏡を作り、その眼鏡を使用者が装着すれば、眼鏡レンズの光学中心ｂが幾何学中心ａよりも左右方向内側でかつ上側に偏位した位置にくるように構成でき、眼鏡レンズを顔面に沿わせるように装着した場合、レンズの光学性能である平行度を小さくすることができて、前方の物をよく見ることができるようになる。
【０００６】
また、眼鏡レンズを顔面に沿わせるように装着した場合、眼鏡レンズの上下方向の平行度を極力小さくすることができ、前方の物をより一層よく見ることができるようになる。
本発明の他の技術手段は、偏光を有するアンカット眼鏡レンズにおいて、
レンズ体の幾何学中心ａから離れた位置にレンズ体の光学中心ｂを持ち、レンズ体の幾何学中心ａと、レンズ体の光学中心ｂからレンズ体の偏光軸に平行に引いた平行線ｅとの距離が、８．２１ｍｍ±５ｍｍである点にある。
【０００７】
従って、眼鏡レンズを顔面に沿わせるように装着した場合、眼鏡レンズの上下方向及び左右方向の平行度を極力小さくすることができて、前方の物をより一層よく見ることができるようになる。
本発明の他の技術手段は、前記レンズ体の光学中心ｂがレンズ体の幾何学中心ａから１９ｍｍ〜２９ｍｍ離れた位置にある点にある。
従って、眼鏡レンズを顔面に沿わせるように装着した場合、眼鏡レンズの左右方向の平行度を極力小さくすることができ、前方の物をより一層よく見ることができるようになる。
【０００８】
本発明の他の技術手段は、アンカット眼鏡レンズを積み重ねた際に隣合うレンズ体同士が互いに接触しないように他方のレンズ体の外周に設けたタブを受けるタブが、レンズ体の外周に、互いに間隔をおいて少なくとも１組設けられている点にある。
従って、アンカット眼鏡レンズを積み重ねたとき、タブが積層方向に隣合うレンズ面とレンズ面との接触を防止し、レンズ面に擦り傷が入ることを防止できる。
【０００９】
本発明の他の技術手段は、前記１組のタブは、レンズ体の外周から突出した長さ及び幅がともに２ｍｍ以上である点にある。
従って、１組のタブを、光学中心ｂを眼鏡の一定位置に位置合わせする治具に使うとき、カット時により正確に位置合わせできて、アンカット眼鏡レンズのカットをより一層簡単かつ正確に行うことができる。
本発明の他の技術手段は、少なくとも一組のタブの中心を結んだ線がレンズ体の幾何学中心ａを通る位置にある点にある。
【００１０】
１組のタブを、光学中心ｂを眼鏡の一定位置に位置合わせするための治具として有効に利用することができる。
本発明の他の技術手段は、アンカット眼鏡レンズをカットした眼鏡レンズであって、眼鏡レンズの幾何学中心ａとレンズ体の幾何学中心ａとが同一位置にあると共に、眼鏡レンズの光学中心ｂとレンズ体の光学中心ｂとが同一位置にあり、眼鏡レンズの幾何学中心ａから離れた位置に眼鏡レンズの光学中心ｂを持ち、その眼鏡レンズを利用した眼鏡を使用者が装着すれば、眼鏡レンズの光学中心ｂが眼鏡レンズの幾何学中心ａよりも左右方向内側でかつ上側に偏位した位置にくるように構成されている点にある。
【００１１】
従って、この眼鏡レンズを利用した眼鏡を作り、その眼鏡を使用者が装着すれば、眼鏡レンズの光学中心ｂが幾何学中心ａよりも左右方向内側でかつ上側に偏位した位置にくるように構成でき、眼鏡レンズを顔面に沿わせるように装着した場合、レンズの光学性能である平行度を小さくすることができ、前方の物をよく見ることができるようになる。
本発明の他の技術手段は、アンカット眼鏡レンズをカットした眼鏡レンズであって、偏光を有する眼鏡レンズにおいて、
眼鏡レンズの幾何学中心ａとレンズ体の幾何学中心ａとが同一位置にあると共に、眼鏡レンズの光学中心ｂとレンズ体の光学中心ｂとが同一位置にあり、光学中心ｂが眼鏡レンズの左右方向内方側でかつ上側に偏位し、眼鏡レンズの幾何学中心ａから離れた位置に眼鏡レンズの光学中心ｂを持ち、眼鏡レンズの光学中心ｂと眼鏡レンズの幾何学中心ａとを結んだ結線ｃが、眼鏡レンズの偏光軸に対して２０度±１０度の角度を有する点にある。
【００１２】
従って、眼鏡を装着した際に眼鏡レンズの偏光軸が水平方向に向くようになし得ると共に、眼鏡レンズを顔面に沿わせるように装着した場合、上記と同様に眼鏡レンズの平行度がよくなるため、偏光を有する眼鏡レンズについて、前方の物をよく見ることができるようになし得る。
本発明の他の技術手段は、光学中心ｂが眼鏡レンズの左右方向内方側でかつ上側に偏位し、アンカット眼鏡レンズをカットした眼鏡レンズであって、６ベース以上のレンズカーブを有する点にある。
【００１３】
本発明の他の技術手段は、光学中心ｂが眼鏡レンズの左右方向内方側でかつ上側に偏位し、アンカット眼鏡レンズをカットした眼鏡レンズであって、前記眼鏡レンズを利用した眼鏡である点にある。
【００１４】
【実施の形態】
以下、本発明の実施の形態を図面に基づいて説明する。
図１において、１は左眼用のハイカーブのアンカット眼鏡レンズ、２は右眼用のハイカーブのアンカット眼鏡レンズである。これらは透明ガラス又は透明な合成樹脂等により形成されている。このアンカット眼鏡レンズ１，２は、円形のレンズ体３，４と該レンズ体３，４の外周に夫々設けられた１組のタブ５，６とを有し、アンカット眼鏡レンズ１，２は、視野の向上や、眼鏡枠と顔面との間の隙間を少なくして眼鏡枠と顔面との間への風や光の入り込みを少なくするために、図２に示すように、例えば８ベースのハイカーブで湾曲されている。
【００１５】
なお、アンカット眼鏡レンズ１，２の湾曲は、８ベースが好ましいが、８ベースに限定されず、６ベース以上あればよく、視野の向上や眼鏡枠と顔面の隙間を少なくし、風や光の入り込みを少なくすることができる。
各アンカット眼鏡レンズ１，２のタブ５，６は、レンズ体３，４の幾何学中心ａに対して互いに反対側に位置するように設けられ、各アンカット眼鏡レンズ１，２には、レンズ体３，４の幾何学中心ａから離れた位置にレンズ体３，４の光学中心ｂが設けられ、一組のタブ５，６の中心を結んだ線がレンズ体３，４の幾何学中心ａを通る位置にあり、幾何学中心ａと光学中心ｂとを結んだ結線ｃが、一組のタブ５，６と幾何学中心ａとを通る中心線ｄに対して所定の角度Θを有している。
【００１６】
即ち、具体的には、ハイカーブレンズを顔面に沿わせようとすると、図５に示すように、眼鏡レンズが使用者の顔面に沿って左右方向外端から左右方向内端に向かうに従って前方に進むように傾斜するため、光学中心ｂを瞳孔位置Ｅより鼻Ｎ側に設けないと平行度が大きくなり、ものが見にくくなる。また、図４に示すように眼鏡レンズが１０度から１５度前傾するのが普通である。このときにも光学中心ｂを瞳孔位置Ｅより鼻Ｎ側に偏位させただけでは上下方向の平行度が大きくなりすぎる。これを解決する手段として光学中心ｂを幾何学中心ａから１９ｍｍから２９ｍｍ、好ましくは２４ｍｍ離間させると共に、結線ｃを、中心線ｄに対して上方向に２０度±１０度、好ましくは２０度偏心させている。つまり、前記所定の角度Θが上方向に２０度±１０度、好ましくは２０度に設定され、光学中心ｂと幾何学中心ａとの離間幅Ｄが１９ｍｍから２９ｍｍ、好ましくは２４ｍｍに設定されている。
【００１７】
ここで、光学中心ｂとは、レンズを光軸が通る点であり、光軸とは、２つのアール（球体）の中心を結ぶ延長線である。即ち、図６に示すように、レンズに存在する２つの円心Ｏ１，Ｏ２を結んで延長する直線が光軸Ａであり、その光軸Ａがレンズを通過する位置が光学中心ｂである。また、幾何学中心ａとは、幾何学的にみた中心部分であり、円形のレンズであれば、その円の中心がレンズの幾何学中心ａとなる。また、平眼レンズの場合は、一般にレンズの凹面と凸面の曲率は断面図では平行のようであるが、レンズベースカーブが深くなるほど、両面が平行であると球面収差を生じるので、球面収差を補正するレンズカーブに設計する必要があり、凹面と凸面は平行にならない。従って、平眼レンズであっても２つの球体の中心Ｏ１，Ｏ２を有している。
【００１８】
各アンカット眼鏡レンズ１，２は、眩しさやぎらつきを抑えるための偏光を有しており、中心線ｄと、レンズ体３，４の偏光軸とが、互いに平行となるように形成され、中心線ｄと、レンズ体３，４の光学中心ｂからレンズ体３，４の偏光軸に平行に引いた平行線ｅとの距離が、８．２１ｍｍ±５ｍｍに設定されている。
前記各アンカット眼鏡レンズ１，２のタブ５，６は、厚み方向のレンズ体３，４の凸面側に突出していると共に、タブ５，６のレンズ体３，４の外周から突出した長さ及び幅はともに２ｍｍ以上であり、タブ５，６の肉厚が互いに等しく、図２に鎖線で示す如く複数のアンカット眼鏡レンズ１，２を積み重ねた際に、積層方向に隣合う一方のアンカット眼鏡レンズ１，２のタブ５，６が他方のアンカット眼鏡レンズ１，２のレンズ体３，４の外周を受けて、積層方向に隣合うアンカット眼鏡レンズ１，２のレンズ体３，４同士が互いに接触しないようになっている。
【００１９】
図１及び図３において、７は左眼用の眼鏡レンズ、８は右眼用の眼鏡レンズで、これら眼鏡レンズ７，８は、図１に点線で示す如く、アンカット眼鏡レンズ１，２を、幾何学中心ａが変動しないように（アンカット眼鏡レンズ１，２の幾何学中心ａと眼鏡レンズ７，８の幾何学中心ａが同一位置になるように）カットして、図３に示す眼鏡枠９に対応する形状にしたものである。従って、各眼鏡レンズ７，８の幾何学中心ａはアンカット眼鏡レンズ１，２の幾何学中心ａと同一位置にあり、また各眼鏡レンズ７，８の光学中心ｂはカット形状に拘わらず変動しないため、アンカット眼鏡レンズ１，２の光学中心ｂと同一位置にある。
【００２０】
そして、カットした眼鏡レンズ７，８を眼鏡枠９に装着することにより、アンカット眼鏡レンズ１，２乃至眼鏡レンズ７，８を利用した眼鏡１１を作り、その眼鏡１１を使用者が装着すれば、図４に示す如く眼鏡レンズ７，８が１０度から１５度前傾すると共に、図５に示す如く眼鏡レンズ７，８が使用者の顔面に沿って左右方向外端から左右方向内端に向かうに従って前方に進むように傾斜し、眼鏡レンズ７，８の幾何学中心ａが、使用者の瞳孔位置Ｅの眼鏡レンズ７，８の幾何学的軸心方向前方に略位置する（幾何学中心ａが瞳孔位置Ｅに対応する）こととなる。また、このとき眼鏡レンズ７，８の光学中心ｂが幾何学中心ａよりも左右方向内側でかつ上側に偏位した位置にくるようになっている。
【００２１】
なお、図３において、１３はテンプルを取り付けるための智である。
上記実施の形態によれば、使用者が眼鏡１１を装着すると、眼鏡１１の眼鏡レンズ７，８は、ハイカーブレンズであるから、図４に示すように眼鏡レンズ７，８は使用者の顔面にぴったりと沿い、視野の向上や眼鏡枠９と顔面の隙間を少なくし、眼鏡１１と顔面との間への風や光の入り込みを少なくすることができる。
しかし、図５に示すように、眼鏡レンズ７，８は使用者の顔面に沿って左右方向外端から左右方向内端に向かうに従って前方に進むように傾斜するため、眼鏡レンズ７，８の光学中心ｂが幾何学中心ａの位置にあると、眼鏡レンズ７，８の左右方向の平行度が大きくなり前方の物が見にくくなるが、眼鏡レンズ７，８の光学中心ｂが瞳孔位置Ｅに対応する位置（幾何学中心ａ）より鼻Ｎ側に偏位しているので、左右方向の平行度が大きくならず前方の物がよく見える。
【００２２】
また、眼鏡レンズ７，８を顔面に沿わせと、図４に示すように眼鏡レンズ７，８が１０度から１５度前傾するのが普通であるから、このときには光学中心ｂを瞳孔位置（幾何学中心ａ）より鼻Ｎ側に偏位しただけでは、上下方向の平行度が大きくなりすぎ、前方の物が見にくくなるが、眼鏡レンズ７，８の光学中心ｂを幾何学中心ａから上方向に２０度±１０度、好ましくは２０度偏心させているので、眼鏡レンズ７，８の上下方向の平行度も大きくならず、前方の物がよく見える。
【００２３】
また、偏光を有する眼鏡レンズ７，８は、眼鏡１１を装着した際に眼鏡レンズ７，８の偏光軸が水平方向に向くだけでなく、中心線ｄと、眼鏡レンズ７，８の偏光軸とが、互いに平行となるように形成され、光学中心ｂと幾何学中心ａとの離間幅Ｄが１９ｍｍから２９ｍｍ、好ましくは２４ｍｍに設定されると共に、幾何学中心ａと光学中心ｂとを結ぶ結線ｃを、偏光軸方向に対して上方向に２０度±１０度、好ましくは２０度偏心させることにより、中心線ｄと、眼鏡レンズ７，８の光学中心ｂから眼鏡レンズ７，８の偏光軸に平行に引いた平行線ｅとの距離が、８．２１ｍｍ±５ｍｍに設定されているので、上記の場合と同様にレンズの光学性能の一つである平行度が良くなるため、偏光を有する眼鏡レンズ７，８の場合も、前方の物をよく見ることができるようになる。
【００２４】
また、アンカット眼鏡レンズ１，２は、そのレンズ体３，４の外周に、該レンズ体３，４の幾何学中心ａから互いに反対側に位置するように一組のタブ５，６が設けられ、一組のタブ５，６の中心を結んだ線がレンズ体３，４の幾何学中心ａを通る位置にあり、タブ５，６のレンズ体３，４の外周から突出した長さ及び幅はともに２ｍｍ以上であるので、アンカット眼鏡レンズ１，２を眼鏡枠９に合わせてカットするとき、光学中心ｂを眼鏡１１の一定位置に位置合わせする治具に使うことができ、タブ５，６を利用することにより、カット時に正確に位置合わせできて、アンカット眼鏡レンズ１，２のカットを簡単かつ正確に行うことができる。
【００２５】
即ち、アンカット眼鏡レンズ１，２の周囲にけがき線やドットで表示することでも、中心線ｄや光学中心ｂの位置を表示することもできるが、カット時に自動位置合わせする為には２ｍｍ以上のタブを設けた方が正確に位置合わせできるのである。
また、アンカット眼鏡レンズ１，２を積み重ねたとき、タブ５，６の肉厚が積層方向に隣合うレンズ面とレンズ面との接触を防止し、レンズ面に擦り傷が入ることを防止できる。さらに、レンズの幾何学中心ａから互いに反対側に位置する１組のタブ５，６の肉厚が等しいため、レンズカット時にマガジンにアンカット眼鏡レンズ１，２を重ねたとき多数を重ねても、アンカット眼鏡レンズ１，２の積層が一方に傾いたり、アンカット眼鏡レンズ１，２がガタ付いたりするような不都合が生じない。
【００２６】
なお、前記実施の形態では、アンカット眼鏡レンズ１，２に１組のタブ５，６のみを設けているが、アンカット眼鏡レンズ１，２の外周に１組のタブ５，６の他に他のタブを設けるようにしてもよい。
【００２７】
【発明の効果】
本発明によれば、眼鏡レンズを顔面に沿わせるように装着した場合、レンズの光学性能である平行度を小さくすることができ、前方の物をよく見ることができるようになる。
【図面の簡単な説明】
【図１】  本発明の一実施の形態を示すアンカット眼鏡レンズの正面図である。
【図２】  同図１のＡ−Ａ線断面図である。
【図３】  同眼鏡の正面図である。
【図４】  同眼鏡を装着した状態の側面図である。
【図５】  同眼鏡を装着した状態の平面図である。
【図６】  レンズの光学中心を説明するための説明図である。
【符号の説明】
１    アンカット眼鏡レンズ
２    アンカット眼鏡レンズ
３    レンズ体
４    レンズ体
５    タブ
６    タブ
７    眼鏡レンズ
８    眼鏡レンズ
１１  眼鏡
【図１】
0004215325.tif 000002
【図２】
0004215325.tif 000003
【図３】
0004215325.tif 000004
【図４】
0004215325.tif 000005
【図５】
0004215325.tif 000006
【図６】
0004215325.tif 000007